(57)【要約】【課題】従来の硬貨収納容器では、硬貨の半円形部分を挿入する凹状装着溝を形成する開閉下側平面装着板は開閉自在にて、カバン等の中に入れている時、この開閉下側平面装着板が開放して硬貨が硬貨収納容器より離脱することがある。【解決手段】硬貨の半円形部分のみが挿入される凹状装着溝を構成する開閉下側平面装着板を、開閉自在なる折り曲げ線をもって上方向に開放して硬貨を着脱自在に装着し、この凹状装着溝を水平方向にして挿入されてない半円形部分を固定環状装着板に当接する硬貨収納容器において、装着基板に接着する固定部に、装着された硬貨に重ね合わせる開閉部を、環状装着板分割線に平行するところの開閉自在なる折り曲げ線をもって付設する外板を設け、この外板の開閉部を対応的凹凸をもって互いに嵌合したり、着脱自在な粘着テープをもって接合して、硬貨を水平方向に装着させた状態に安定して保持することができる。【選択図】図３
2010063859.tif 000002
【特許請求の範囲】
【請求項１】
収納する硬貨の円形周縁部に対応する装着孔を左右に２分割するところの環状装着板分割線をもって並設した開閉環状装着板と固定環状装着板より形成される環状装着板を間にして、上側方向に重合する上側平面装着板は上記開閉環状装着板と接合し、下側方向に重合する下側平面装着板は上記環状装着板分割線上に位置するところの平面装着板分割線をもって開閉下側平面装着板と固定下側平面装着板に左右に２分割し、この開閉下側平面装着板と固定下側平面装着板は、上記環状装着板の開閉環状装着板と固定環状装着板にそれぞれ接合すると共に、上記下側平面装着板の下側方向に重合する装着基板には、上記固定下側平面装着板と、上記開閉下側平面装着板に開閉自在となるところの折り曲げ線をもって付設した接続片をそれぞれ接合し、硬貨を着脱自在に装着する硬貨収納容器において、上記装着基板に接着する四辺形なる固定部に、装着された上記硬貨に重ね合わせるところの開閉部を、上記環状装着板分割線に平行するところの開閉自在なる折り曲げ線をもって付設する外板を設けることを特徴とする硬貨収納容器。
【請求項２】
上記外板の固定部の対向する二辺延長上に付設された二重となる開閉部を、対応的凹凸をもって互いに嵌合する請求項１記載の硬貨収納容器。
【請求項３】
上記外板の固定部の一辺に付設された開閉部と上記接続片を、互いに着脱自在なる一対の粘着テープをもって接合する請求項１記載の硬貨収納容器。
【発明の詳細な説明】
【技術分野】
【０００１】  本発明は、貨幣を収納する財布の中で、硬貨専用の財布に関する。
【背景技術】
【０００２】  従来の硬貨収納容器には、収納する硬貨の円形周縁部に対応する装着孔を左右に２分割するところの環状装着板分割線をもって並設した開閉環状装着板と固定環状装着板より形成される環状装着板を間にして、上側方向に重合する上側平面装着板は上記開閉環状装着板と接合し、下側方向に重合する下側平面装着板は上記環状装着板分割線上に位置するところの平面装着板分割線をもって開閉下側平面装着板と固定下側平面装着板に左右に２分割し、この開閉下側平面装着板と固定下側平面装着板は、上記環状装着板の開閉環状装着板と固定環状装着板にそれぞれ接合すると共に、上記下側平面装着板の下側方向に重合する装着基板には、上記固定下側平面装着板と、上記開閉下側平面装着板に開閉自在となるところの折り曲げ線をもって付設した接続片をそれぞれ接合した構造のものがある。【０００３】  以下、図７〜図１３により、従来の硬貨収納容器Ｂについて説明する。【０００４】  図７〜図１３において、Ａ１〜Ａ３は収納する硬貨、Ｂは硬貨収納容器、Ｃは装着基板、Ｄは環状装着板、Ｅは上側平面装着板、Ｆは下側平面装着板、Ｇは接続片である。
硬貨Ａ１〜Ａ３と同等なる厚みの厚紙を用い四辺Ｄ１〜Ｄ４からなる長方形の環状装着板Ｄには、硬貨Ａ１〜Ａ３の円形周縁部より一回り大きいところの円形なる３個の装着孔Ｄ５〜Ｄ７を、この中心点Ｄ８〜Ｄ１０が短辺Ｄ１、Ｄ３方向においては短辺Ｄ１、Ｄ３を２等分して長辺Ｄ２、Ｄ４方向においては等間隔に位置するように配設し、この環状装着板Ｄを間にして、厚み０．５〜１ｍｍ程度の厚紙よりなる２枚の上側平面装着板Ｅと下側平面装着板Ｆを重合し、さらに、下側平面装着板Ｆの下側方向には厚み０．５〜１ｍｍ程度の厚紙よりなる装着基板Ｃを重合している。【０００５】  上側平面装着板Ｅは四辺Ｅ１〜Ｅ４からなる長方形にて、四辺Ｅ１〜Ｅ４のうちの長辺Ｅ２、Ｅ４は環状装着板Ｄの長辺Ｄ２、Ｄ４と同等な長さであるが、短辺Ｅ１、Ｅ３は環状装着板Ｄの短辺Ｄ１、Ｄ３の半分の長さとしている。また、下側平面装着板Ｆは環状装着板Ｄと同等の大きさにて、四辺Ｆ１〜Ｆ４からなる長方形のうちの長辺Ｆ４は、四辺Ｇ１〜Ｇ４からなる長方形の接続片Ｇの長辺Ｇ２と折り曲げ線Ｆ９をもって接合している。また、四辺Ｃ１〜Ｃ４からなる長方形の装着基板Ｃは下側平面装着板Ｆに接続片Ｇを付設した大きさと同等としている。【０００６】  また、環状装着板Ｄは、長辺Ｄ２、Ｄ４に平行して短辺Ｄ１、Ｄ３を２等分するところの環状装着板分割線Ｄ１１により左右に２分割して開閉環状装着板Ｄ１２と固定環状装着板Ｄ１３を形成している。また、下側平面装着板Ｆも長辺Ｆ２、Ｆ４に平行して短辺Ｆ１、Ｆ３を２等分するところの平面装着板分割線Ｆ６をもって左右に２分割して開閉下側平面装着板Ｆ７と固定下側平面装着板Ｆ８を形成している。
なお、上側平面装着板Ｅは開閉環状装着板Ｄ１２と合成接着剤にて互いに接着し、下側平面装着板Ｆのうち、固定下側平面装着板Ｆ８は両面を固定環状装着板Ｄ１３と装着基板Ｃに合成接着剤にて互いに接着して、開閉下側平面装着板Ｆ７は開閉環状装着板Ｄ１２と合成接着剤にて互いに接着し、接続片Ｇは装着基板Ｃと合成接着剤にて互いに接着している。【０００７】  従って、折り曲げ線Ｆ９をもって開閉自在なる開閉下側平面装着板Ｆ７を上方向に開放するならば、互いに接着された開閉環状装着板Ｄ１２と上側平面装着板Ｅも同時に開放することとなり、上側平面装着板Ｅと開閉環状装着板Ｄ１２と開閉下側平面装着板Ｆ７により凹状装着溝Ｂ１を形成し、この凹状装着溝Ｂ１の中に硬貨Ａ１〜Ａ３は容易に挿入できると共に、挿入した硬貨Ａ１〜Ａ３のうちの半円形は突出することとなり、この硬貨Ａ１〜Ａ３は指先で確実に掴むことができ簡単に引き出されることが可能となる。
また、硬貨Ａ１〜Ａ３を挿入した状態の凹状装着溝Ｂ１を水平方向に戻すならば、硬貨Ａ１〜Ａ３のうちの凹状装着溝Ｂ１に挿入されてない半円形部分が固定環状装着板Ｄ１３と固定下側平面装着板Ｆ８に当接して確実に凹状装着溝Ｂ１内に装着されることとなる。
【発明の開示】
【発明が解決しようとする課題】
【０００８】  以上に述べた従来の硬貨収納容器では、硬貨の半円形部分を挿入する凹状装着溝を形成する開閉下側平面装着板は開閉自在にて、カバン等の中に入れている時、この開閉下側平面装着板が開放して硬貨が硬貨収納容器より離脱することがある。【０００９】  本発明は、このような従来の構造が有していた問題を解決しようとするものであり、硬貨を装着する状態が安定して保持できることを目的とするものである。
【課題を解決するための手段】
【００１０】  そして、本発明は上記目的を達成するために、装着基板に接着する四辺形なる固定部に、装着された硬貨に重ね合わせるところの開閉部を、環状装着板分割線に平行するところの開閉自在なる折り曲げ線をもって付設する外板を設けている。【００１１】  また、硬貨を装着する状態がより安定して保持できるために、外板の固定部の対向する二辺延長上に付設された二重となる開閉部を、対応的凹凸をもって互いに嵌合している。【００１２】また、同様に、硬貨を装着する状態がより安定して保持できるために、外板の固定部の一辺に付設された開閉部と上記接続片を、互いに着脱自在なる一対の粘着テープをもって接合している。
【発明の効果】
【００１３】  上述したように本発明における硬貨収納容器は、装着基板に接着する四辺形なる固定部に、装着された硬貨に重ね合わせるところの開閉部を、環状装着板分割線に平行するところの開閉自在なる折り曲げ線をもって付設する外板を設けているので、硬貨を装着するところの開閉下側平面装着板が開放することなく、硬貨を水平方向に装着させた状態に安定して保持できることとなる。【００１４】  また、外板の固定部の対向する二辺延長上に付設された二重となる開閉部を、対応的凹凸をもって互いに嵌合しているので、装着された硬貨に重ね合わせるところの開閉部が開放することなく、硬貨を水平方向に装着させた状態により安定して保持できることとなる。【００１５】  また、外板の固定部の一辺に付設された開閉部と上記接続片を、互いに着脱自在なる一対の粘着テープをもって接合しているので、装着された硬貨に重ね合わせるところの開閉部が開放することなく、硬貨を水平方向に装着させた状態により安定して保持できることとなる。
【発明の実施するための最良の形態】
【００１６】    以下、本発明の実施の形態１、２を、図１〜図６に基づいて説明する。
【００１７】  先ず、実施の形態１を示す図１〜図３において、硬貨収納容器Ｈは硬貨Ａ１〜Ａ３、装着基板Ｃ、環状装着板Ｄ、上側平面装着板Ｅ、下側平面装着板Ｆ、接続片Ｇ、外板Ｊより構成されている。
実施の形態１は、従来の硬貨収納容器Ｂに外板Ｊを付設するものであり、硬貨Ａ１〜Ａ３、装着基板Ｃ、環状装着板Ｄ、上側平面装着板Ｅ、下側平面装着板Ｆ、接続片Ｇは、従来の硬貨収納容器Ｂのものと共通としている。
したがって、上側平面装着板Ｅと開閉環状装着板Ｄ１２、及び開閉下側平面装着板Ｆ７を接着して凹状装着溝Ｂ１を形成し、この凹状装着溝Ｂ１の中に硬貨Ａ１〜Ａ３のうちの半円形部分のみ挿入されるため、硬貨Ａ１〜Ａ３は指先で確実に掴むことができ、折り曲げ線Ｆ９をもって開閉自在なる開閉下側平面装着板Ｆ７を上方向に開放して、凹状装着溝Ｂ１の中に硬貨Ａ１〜Ａ３を着脱自在に装着できることとなる。
また、硬貨Ａ１〜Ａ３を挿入した状態の凹状装着溝Ｂ１を水平方向に戻すならば、硬貨Ａ１〜Ａ３のうちの凹状装着溝Ｂ１に挿入されてない半円形部分が固定環状装着板Ｄ１３と固定下側平面装着板Ｆ８に当接して凹状装着溝Ｂ１内に装着された状態が保持されることとなる。
【００１８】  外板Ｊは１枚の厚み０．２ｍｍ程度の厚紙を用い、四辺Ｊ１〜Ｊ４のうち短辺Ｊ２には半円形の係止凸部Ｊ５を付設しているが、ほぼ長方形に近い外形形状としている。
まず、短辺Ｊ２とＪ４との間には、この短辺Ｊ２、Ｊ４に平行して、凹状装着溝Ｂ１を形成する上側平面装着板Ｅと開閉環状装着板Ｄ１２、及び開閉下側平面装着板Ｆ７の板厚に装着基板Ｃを加えた板厚、すなわち、従来の硬貨収納容器Ｂの厚さが中に収まる巾でもって平行するところの折り曲げ線を２箇所、合計４本の折り曲げ線Ｊ６〜Ｊ９を設けている。
また、外板Ｊの短辺Ｊ２、Ｊ４の大きさは、装着基板Ｃの縦辺Ｃ２、Ｃ４と同等とし、折り曲げ線Ｊ６〜Ｊ９のうちの折り曲げ線Ｊ７とＪ８との間の固定部Ｊ１０の巾は、装着基板Ｃの横辺Ｃ１、Ｃ３が収まる大きさとしており、装着基板Ｃを固定部Ｊ１０に合成接着剤にて接着している。
【００１９】  次に、折り曲げ線Ｊ６と短辺Ｊ４との間の下側開閉部Ｊ１１の巾は、装着基板Ｃの横辺Ｃ１、Ｃ３とほぼ同等な大きさとしており、この下側開閉部Ｊ１１を、折り曲げ線Ｊ６、及びＪ７をもって水平状態となった凹状装着溝Ｂ１に挿入された硬貨Ａ１〜Ａ３上に開閉自在に重ね合わせている。
また、折り曲げ線Ｊ９と短辺Ｊ２との間の上側開閉部Ｊ１２の巾は、装着基板Ｃの縦辺Ｃ２と環状装着板分割線Ｄ１１との巾とほぼ同等な大きさとしており、この上側開閉部Ｊ１２を、上記下側開閉部Ｊ１１上に開閉自在に重ね合わせている。
なお、下側開閉部Ｊ１１と上側開閉部Ｊ１２が重ね合わされた状態において、下側開閉部Ｊ１１には、上側開閉部Ｊ１２の係止凸部Ｊ５が挿入できるところの切り込み溝Ｊ１３を設けている。
【００２０】  したがって、外板Ｊを構成するところの装着基板Ｃに接着される外板固定部Ｊ１０と、この外板固定部Ｊ１０の両端に開閉自在なる折り曲げ線をもって付設された下側開閉部Ｊ１１と上側開閉部Ｊ１２のうち、下側開閉部Ｊ１１が水平状態となった凹状装着溝Ｂ１に挿入された硬貨Ａ１〜Ａ３に重ね合わされると共に、この下側開閉部Ｊ１１の上に上側開閉部Ｊ１２を重ね合わせ、さらに、重ね合わされた下側開閉部Ｊ１１と上側開閉部Ｊ１２において、上側開閉部Ｊ１２の係止凸部Ｊ５が下側開閉部Ｊ１１の切り込み溝Ｊ１３に嵌合することにより、硬貨Ａ１〜Ａ３を挿入する凹状装着溝Ｂ１を形成するところの開閉下側平面装着板Ｆ７を開放することはなく、硬貨を水平方向に装着させた状態に安定して保持できることとなる。
【００２１】  上述の実施例においては、材質は厚紙としているが、プラスチック等にて射出成形したものでもよい。
また、収納する硬貨Ａ１〜Ａ３の数は１列に３個としているが、言うまでもなく３個に限定するものではなく、また、実施例の硬貨収納容器Ｈから外板Ｊを除いたものを２列、３列と増やし、これに外板Ｊを付設してもよい。
【００２２】  また、環状装着板Ｄ、及び下側平面装着板Ｆを２分割するところの環状装着板分割線Ｄ１１、及び平面装着板分割線Ｆ６は、装着孔Ｄ５〜Ｄ７の中心点Ｄ８〜Ｄ１０を通る直線にそれぞれ位置しているが、装着孔Ｄ５〜Ｄ７の中心点Ｄ８〜Ｄ１０を通る位置に限定するものではなく、この環状装着板分割線Ｄ１１、及び平面装着板分割線Ｆ６にそれぞれ平行して、左右に２分割したうちの片方の開閉環状装着板Ｄ１２、及び開閉下側平面装着板Ｆ７方向に配設しても問題はない。この時、上側平面装着板Ｅの長辺Ｅ２をこの環状装着板分割線Ｄ１１、及び平面装着板分割線Ｆ６に合わせるならば、凹状装着溝Ｂ１の中に挿入した硬貨Ａ１〜Ａ３の半円形以上が突出することとなり、硬貨Ａ１〜Ａ３を指先で掴みやすくなる。
また、上側平面装着板Ｅの短辺Ｅ１、Ｅ３は環状装着板Ｄの短辺Ｄ１、Ｄ３の半分の長さとし、対向する長辺Ｅ２、Ｅ４のうちの一方の長辺Ｅ２は環状装着板分割線Ｄ１１、及び平面装着板分割線Ｆ６上に位置しているが、この位置に限定するものではなく、上側平面装着板Ｅの短辺Ｅ１、Ｅ３を環状装着板Ｄの短辺Ｄ１、Ｄ３の半分の長さより短くして、上記長辺Ｅ２が環状装着板分割線Ｄ１１、及び平面装着板分割線Ｆ６と段差が付くならば、硬貨Ａ１〜Ａ３は凹状装着溝Ｂ１の中に挿入し易くなることは言うまでもない。また反対に、硬貨Ａ１〜Ａ３を指先で掴むためのスペースを先端部に確保して固定下側平面装着板Ｆ８方向に延長して、硬貨Ａ１〜Ａ３の収納した状態をより安定するようにしてもよい。
また、固定環状装着板Ｄ１３を固定下側平面装着板Ｆ８に接着して、開閉環状装着板Ｄ１２と固定環状装着板Ｄ１３は段差のない水平状態に位置しているが、固定下側平面装着板Ｆ８の厚紙の板厚分の段差が生じても、硬貨を装着する状態の安定・保持に影響がないのであれば、固定下側平面装着板Ｆ８を除去し、固定環状装着板Ｄ１３を装着基板Ｃに接着してもよい。
【００２３】  次に、実施の形態２を示す図４〜図６において、硬貨収納容器Ｋは硬貨Ａ１〜Ａ３、装着基板Ｃ、環状装着板Ｄ、上側平面装着板Ｅ、下側平面装着板Ｆ、接続片Ｇ、外板Ｌ、粘着テープＭ、Ｎより構成されている。
実施の形態２は、従来の硬貨収納容器Ｂに外板Ｌを付設するものであり、硬貨Ａ１〜Ａ３、装着基板Ｃ、環状装着板Ｄ、上側平面装着板Ｅ、下側平面装着板Ｆ、接続片Ｇは、従来の硬貨収納容器Ｂ、すなわち、実施の形態１のものと共通としている。
【００２４】  外板Ｌは、実施の形態１の外板Ｊと同等であり、四辺Ｌ１〜Ｌ４、折り曲げ線Ｌ６〜Ｌ９、固定部Ｌ１０、下側開閉部Ｌ１１、上側開閉部Ｌ１２は、実施の形態１の四辺Ｊ１〜Ｊ４、折り曲げ線Ｊ６〜Ｊ９、固定部Ｊ１０、下側開閉部Ｊ１１、上側開閉部Ｊ１２に相当するものである。
ただし、Ｌ８とＬ９の巾は実施の形態１と同様に、凹状装着溝Ｂ１を形成する上側平面装着板Ｅと開閉環状装着板Ｄ１２、及び開閉下側平面装着板Ｆ７の板厚に装着基板Ｃを加えた板厚、すなわち、従来の硬貨収納容器Ｂの厚さが中に収まる巾としているが、Ｌ６とＬ７の巾は、開閉下側平面装着板Ｆ７の板厚に装着基板Ｃを加えた板厚が中に収まる巾としている
また、下側開閉部Ｌ１１には切り込み溝は無く、折り曲げ線Ｌ６と短辺Ｌ４との間の巾は、接続片Ｇの横辺Ｇ１、Ｇ３が収まる大きさとしており、また、上側開閉部Ｌ１２には半円形の係止凸部が無く、折り曲げ線Ｌ９と短辺Ｌ２との間の巾は、装着基板Ｃの横辺Ｃ１、Ｃ３とほぼ同等な大きさとしている。
【００２５】  この外板Ｌのうち、固定部Ｌ１０は実施の形態１と同様に装着基板Ｃに合成接着剤にて接着し、下側開閉部Ｌ１１も折り曲げ線Ｌ６、及びＬ７をもって接続片Ｇに重ね合わせて合成接着剤にて接着している。
また、上側開閉部Ｌ１２は折り曲げ線Ｌ８、及びＬ９をもって水平状態となった凹状装着溝Ｂ１に挿入された硬貨Ａ１〜Ａ３上に開閉自在に重ね合わせている。
【００２６】したがって、水平状態となった凹状装着溝Ｂ１に挿入された硬貨Ａ１〜Ａ３に重ね合わされる上側開閉部Ｌ１２と、これに平行するところの下側開閉部Ｌ１１に、互いに着脱自在なる一対の粘着テープＭ、Ｎをそれぞれ接着して上側開閉部Ｌ１２の開放を係止するならば、硬貨Ａ１〜Ａ３を挿入する凹状装着溝Ｂ１を形成するところの開閉下側平面装着板Ｆ７を開放することはなく、硬貨を水平方向に装着させた状態に安定して保持できることとなる。
【００２７】  上述の実施例においては、下側開閉部Ｌ１１は折り曲げ線Ｌ６と短辺Ｌ４との間の巾をもって、接続片Ｇに重ね合わせて接着しているが、凹状装着溝Ｂ１を形成する上側平面装着板Ｅと開閉環状装着板Ｄ１２、及び開閉下側平面装着板Ｆ７のうちの開閉下側平面装着板Ｆ７と同等なるものを、折り曲げ線Ｆ９と同等なるところに位置する開閉自在なる折り曲げ線をもって短辺Ｌ４の延長上に設けるならば、これに上側平面装着板Ｅと開閉環状装着板Ｄ１２を接着して凹状装着溝Ｂ１を形成することができ、接続片Ｇと開閉下側平面装着板Ｆ７を除去し、折り曲げ線Ｆ９と同等なるところに位置する開閉自在なる折り曲げ線と、折り曲げ線Ｌ６との間を装着基板Ｃに直接に接着すればよいこととなる。
【図面の簡単な説明】
【００２８】
【図１】本発明の実施の形態１である外板Ｊの展開図である。
【図２】同水平方向なる凹状装着溝Ｂ１に装着された硬貨に、外板Ｊの下側開閉部Ｊ１１と上側開閉部Ｊ１２が、重なり合った状態における硬貨収納容器Ｈの側面より見た要部断面図である。
【図３】同凹状装着溝Ｂ１が上方向に開放し、外板Ｊの下側開閉部Ｊ１１と上側開閉部Ｊ１２も開放した状態における硬貨収納容器Ｈの側面より見た要部断面図である。
【図４】本発明の実施の形態２である外板Ｌの展開図である。
【図５】同水平方向なる凹状装着溝Ｂ１に装着された硬貨に、外板Ｌの上側開閉部Ｌ１２が重なり合った状態における硬貨収納容器Ｋの側面より見た要部断面図である。
【図６】同凹状装着溝Ｂ１が上方向に開放し、外板Ｌの上側開閉部Ｌ１２も開放した状態における硬貨収納容器Ｋの側面より見た要部断面図である。
【図７】従来の硬貨収納容器Ｂの上側平面装着板Ｅの平面図である。
【図８】同環状装着板Ｄの平面図である。
【図９】同下側平面装着板Ｆと接続片Ｇの平面図である。
【図１０】同装着基板Ｃの平面図である。
【図１１】同硬貨収納容器Ｂの平面図である。
【図１２】同凹状装着溝Ｂ１が水平方向なる状態における硬貨収納容器Ｂの側面より見た要部断面図である。
【図１３】同凹状装着溝Ｂ１が上方向に開放した状態における硬貨収納容器Ｂの側面より見た要部断面図である。
【符号の説明】
【００２９】                                    Ａ１〜Ａ３  硬貨
Ｂ、Ｈ、Ｋ  硬貨収納容器
Ｂ１  凹状装着溝
Ｃ  装着基板
Ｃ１〜Ｃ４、Ｄ１〜Ｄ４、Ｅ１〜Ｅ４、Ｆ１〜Ｆ４
Ｇ１〜Ｇ４、Ｊ１〜Ｊ４、Ｌ１〜Ｌ４  辺
Ｄ  環状装着板
Ｄ５〜Ｄ７  装着孔
Ｄ８〜Ｄ１０  中心点
Ｄ１１  環状装着板分割線
Ｄ１２  開閉環状装着板
Ｄ１３  固定環状装着板
Ｅ  上側平面装着板
Ｆ  下側平面装着板
Ｆ６  平面装着板分割線
Ｆ７  開閉下側平面装着板
Ｆ８  固定下側平面装着板
Ｆ９、Ｊ６〜Ｊ９、Ｌ６〜Ｌ９  折り曲げ線
Ｇ  接続片
Ｊ、Ｌ  外板
Ｊ５  係止凸部
Ｊ１０、Ｌ１０  固定部
Ｊ１１、Ｌ１１  下側開閉部
Ｊ１２、Ｌ１２  上側開閉部
Ｊ１３  切り込み溝
Ｍ、Ｎ  粘着テープ
【図１】
2010063859.tif 000003
【図２】
2010063859.tif 000004
【図３】
2010063859.tif 000005
【図４】
2010063859.tif 000006
【図５】
2010063859.tif 000007
【図６】
2010063859.tif 000008
【図７】
2010063859.tif 000009
【図８】
2010063859.tif 000010
【図９】
2010063859.tif 000011
【図１０】
2010063859.tif 000012
【図１１】
2010063859.tif 000013
【図１２】
2010063859.tif 000014
【図１３】
2010063859.tif 000015